(57)【要約】      （修正有）【課題】この種のケーブルの布設は、工事現場はその都度変わり、且つ、重量があることから多人数の作業員が手作業で繰り出していたが、人手を必要とすると共に重労働と成るために、動力によって繰り出す延線装置や延線方法が開発されている。【解決手段】取付架台２に固定する固定板３と、ベアリング４を介装して積合させた遊動板５と、枢着した枢動軸６と、遊動板５の中立位置を保持するために設けた中立位置保持具７と、遊動板５にケーブルＡを挟着するように回転軸８ａを介装して立設させた一対のボール８と、回転軸８ａと機械的に接続させた駆動用のモーター９と、モーター９と電気的に接続させたスイッチ機構１０とを備え、スイッチ機構１０は遊動板５と固定板３との間の片方に押圧杆１０ａを突設し、押圧杆１０ａの両側の他方にモーター９のスイッチ１０ｂを設けた。【選択図】図３
0003124353.tif 000002
【実用新案登録請求の範囲】
【請求項１】
ケーブルドラムに捲着されたケーブルを延線する延線装置において、取付架台に固定する固定板と、該固定板に複数のベアリングを介装して遊動可能に積合させた遊動板と、該遊動板と前記固定板との一側辺に前記遊動板を枢動可能に枢着した枢動軸と、前記遊動板の枢動の中立位置を保持するために他側辺に設けた中立位置保持具と、前記遊動板に前記ケーブルを挟着するように夫々回転軸を介装して立設させた一対のボールと、該一対のボールを夫々相対させて回転させる前記夫々の回転軸と機械的に接続させた駆動用のモーターと、該モーターと電気的に接続させたスイッチ機構とを備え、前記スイッチ機構は前記遊動板と前記固定板との間の何れか片方に押圧杆を突設し、該押圧杆の両側の他方に接触離間することにより前記モーターの電源をオンオフするスイッチを夫々設けたことを特徴とするケーブルの延線装置。
【考案の詳細な説明】
【技術分野】
【０００１】
本考案は、ケーブルドラムに捲着されたケーブルを延線する延線装置に関するものであり、更に詳細には、ケーブルドラムに捲着された配電用のケーブルを布設するときに長尺なケーブルを繰り出すための延線装置に関するものである。
【背景技術】
【０００２】
従来、この種の長尺の配電用のケーブルの布設はケーブルドラムから、ケーブルを延線するものであるが、工事現場はその都度変わり、延線のために大がかりな装置を設置するわけに行かず、且つ、ケーブルは重量があることから多人数の作業員が延線する方向に一列に並んで声をかけながら手作業で繰り出していたが、多人数の人手を必要とすると共に重労働と成るために、動力によって繰り出す延線装置や延線方法が開発されている。
【０００３】
例えば、先に開示された延線装置及び延線方法として、ケーブル延線ルートに所望間隔で配置した多数の延線機で長尺のケーブルを布設する方法において、多数の延線機１．１をそのケーブル繰り出し側に各別に設けたケーブル張力の検知スイッチ２．２でケーブル始端側から終端側に向けてそれぞれ順次に作動制御することで、ケーブル延線の実行とその中断とをケーブル始端側で可能となしたもの（特許文献１参照）や、回転ローラにケーブルを載置し牽引する方式のケーブル送り出し装置において、２個以上の上記回転ローラを、送り出すケーブルに沿って共通の基部に配設し、単一のインバータ駆動用の定トルクモータで駆動する。さらに、一対の回転輪間に無端ベルトを張架したタイトナを、上記回転ローラに対向して揺動可能に連結桿を用いて上記基部に連結するもの（特許文献２参照）や、ボール延線機２０は、第１および第２のガイド２３、２４が一対のボール２２の前後に配置されており、ガイド２３、２４は回転軸２２ａを通る平面に対して対称な形状に形成されている。ガイド２３は、軸心に直交する扁平な断面形状を軸心方向で軸心周りに徐々に回転させて両端開口２３ａ、２３ｂが軸心周りにほぼ９０度回転するように構成された筒状体に成形されている。同様に、ガイド２４は、軸心に直交する扁平な断面形状を軸心方向で軸心周りにガイド２３ろ逆方向に徐々に回転させて両端開口２４ａ、２４ｂが軸心周りにほぼ９０度回転するように構成された筒状体に成形されているもの（特許文献３参照）がある。
【特許文献１】特開平６−３１１６１７号公報
【特許文献２】特開平１１−２１５６３４号公報
【特許文献３】特開２０００−２７８８３２号公報
【考案の開示】
【考案が解決しようとする課題】
【０００４】
然し乍ら、特許文献１に開示のものは、ケーブルの延線を無人で制御するものであるが、多数の延線機１．１をそのケーブル繰り出し側に各別に設けたケーブル張力の検知スイッチ２．２を設けなければ成らず、多数の延線機１．１の配設と共に、ケーブル張力の検知スイッチ２．２を別に配設しなければ成らなく、特許文献２に開示のものは、２個以上の上記回転ローラの上に送り出すケーブルを載置して牽引するものであるが、その制御方法に関しては記載されておらず、更に、特許文献３に開示のものは、ボール延線機２０ではあるが、延設するための駆動源は別にウインチを配置し牽引しているものであり、つまり、先に開示されたもは、延線装置本体の他に配線工事や、他の装置、機器を必要としており、延線装置を設置するだけで、何処にでもある商業電源から容易に電源を得ることと、設置が容易で、簡易に使用できる延線装置が望まれている現状である。
【課題を解決するための手段】
【０００５】
本考案のケーブルの延線装置は、前述の課題に鑑み、鋭意研鑽の結果、ケーブルドラムに捲着されたケーブルを延線する延線装置において、取付架台に固定する固定板と、固定板にベアリングを介装して遊動可能に積合させた遊動板と、遊動板と固定板とに遊動板を枢着した枢動軸と、遊動板の枢動の中立位置を保持するために他側辺に設けた中立位置保持具と、遊動板にケーブルを挟着するように回転軸を介装して立設させた一対のボールと、一対のボールを相対させて回転させる回転軸と機械的に接続させた駆動用のモーターと、モーターと電気的に接続させたスイッチ機構とを備え、スイッチ機構は遊動板と固定板との間の何れか片方に押圧杆を突設し、押圧杆の両側の他方に接触離間することによりモーターの電源をオンオフするスイッチを設けたものである。
【考案の効果】
【０００６】
本考案のケーブルの延線装置は、その都度変わるケーブル布設の工事現場において、容易に設置できると共に、他の設備や工事を必要とせず、電源も近傍に配設されている商業電源から容易に得られると共に、複雑な制御を必要とせず、ケーブルに張力を与えるだけで駆動する延線装置であり、画期的で実用性の高い考案である。
【考案を実施するための最良の形態】
【０００７】
以下、本考案のケーブルの延線装置を実施例の図面によって具体的に説明すると、図１は本考案のケーブルの延線装置の実施例の使用状態の概要側面説明図であり、図２は本考案のケーブルの延線装置の実施例の使用状態の概要平面説明図であり、図３は本考案のケーブルの延線装置の実施例の（Ａ）は平面図（Ｂ）は側面図であり、図４は本考案のケーブルの延線装置の実施例の側面図であり、図５は本考案のケーブルの延線装置の実施例のボールの回転を説明する（Ａ）は近接状態（Ｂ）は離間状態の概要説明図である。
【０００８】
本考案は、ケーブルドラムＢに捲着されたケーブルＡを延線する延線装置１に関するものであり、更に詳細には、ケーブルドラムＢに捲着された配電用のケーブルＡを布設するときに長尺なケーブルＡを繰り出すための延線装置１に関するものであり、ケーブルドラムＢに捲着されたケーブルＡを延線する延線装置１において、取付架台２に固定する固定板３と、該固定板３に複数のベアリング４を介装して遊動可能に積合させた遊動板５と、該遊動板５と前記固定板３との外周辺に前記遊動板５を枢動可能に枢着した枢動軸６と、前記遊動板５の枢動の中立位置を保持するために他側辺に設けた中立位置保持具７と、前記遊動板５に前記ケーブルＡを挟着するように夫々回転軸８ａを介装して立設させた一対のボール８と、該一対のボール８を夫々相対させて回転させる前記夫々の回転軸８ａと機械的に接続させた駆動用のモーター９と、該モーター９と電気的に接続させたスイッチ機構１０とを備え、前記スイッチ機構１０は前記遊動板５と前記固定板３との間の何れか片方に押圧杆１０ａを突設し、該押圧杆１０ａの両側の他方に接触離間することにより前記モーター９の電源をオンオフするスイッチ１０ｂを夫々設けたことを特徴とするものである。
【実施例】
【０００９】
即ち、本考案のケーブルの延線装置で延線するケーブルＡは、図１又は図２に図示の如く、ケーブルドラムＢに捲着されてトラック等により工事現場まで搬送され、ケーブルドラムＢを回転可能に保持させて延線するもので、先ず、ケーブルＡの先端を人間Ｄが把持して引き出すものである。
【００１０】
そして、延線装置１は、延線作業が容易に行えるように延線方向に、人間Ｄの腰辺りの高さの複数の取付架台２を並設して、並設した取付架台２の上に設置するもので、２ヵ所、又は、延線するケーブルＡの長さにより３ヵ所以上に設置するものあり、夫々の延線装置１の間、或いは、前後には適宜に複数の延線コロＣを３ｍ間隔程度に配置するものである。
【００１１】
次に、延線コロＣは、周知のもので、下方に回転自在にローラーを横設し、横設したローラーの両端にもローラー又はガイドを立設したもので、ケーブルＡの延設を地面に接触させることなく且つ摩擦抵抗を低減して楽に延設を可能とするものである。
【００１２】
次いで、取付架台２は、アングル、パイプ等でやぐら状に組設したもので、人間Ｄの略腰部程度の高さを有するものが作業上好ましく、固定板３は矩形板状のもので取付架台２の上面にボルトナット等によりしっかりと固定するものである。
【００１３】
更に、遊動板５は、固定板３の上面に遊動可能に積合させているもので、遊動板５の複数の角部にはコロ状のベアリング４を介装しているものであり、ベアリング４により後述する枢動軸６を中心として水平方向に枢動を可能とするものである。
【００１４】
更には、枢動軸６は、図３に図示する如く、遊動板５と固定板３との長手方向の一側辺の略中央位置に貫通固定させているもので、固定板３に対して遊動板５を水平方向に枢動可能に枢着しているものである。
【００１５】
そして、中立位置保持具７は、固定板３の他側辺に固定したコイルスプリングであり、枢動軸６を枢着した一側辺と反対側の他側辺の遊動板５に突設した突起と、該突起と一定の間隔を有して設けたコイルスプリングであり、遊動板５が枢動すると突起がコイルスプリングに接触するものであるが、絶えず夫々中立位置保持具７が中方向に弾性を付与して、遊動板５を中立位置に保持させるようにしているものである。
【００１６】
次いで、一対のボール８は夫々ゴム等を素材としたロール状のもので、ケーブルＡの延線方向に直交して且つケーブルＡを挟着する適宜な間隔を有して遊動板５に並設しているもので、遊動板５を貫通する夫々の回転軸８ａにより、回転自在に立設させているものであるが、片方のボール８は固定されており、他方のボール８は若干巾を摺動可能に設けており、一対のボール８の間隔を調整できるもので、適応できるケーブルＡはφ９．５ｍｍ〜φ３１ｍｍ程度のものである。
【００１７】
次に、駆動用のモーター９は商業電源（ＡＣ１００Ｖ）を使用できる容量が９０Ｗ程度のもので、前記夫々の回転軸８ａと機械的に接続させており、一対のボール８を夫々相対させて回転させるものである。
【００１８】
更に、機械的な接続は、図５に図示の如く、（Ａ）は一対のボール８の近接状態で（Ｂ）は離間状態であり、モーター９の駆動回転軸に接続した複数の歯車を歯合させた減速機と、該減速機の減速機回転軸に固定した駆動用スプロケット１１と、該駆動用スプロケット１１と歯合させた無端チェーン１２と、該無端チェーン１２と歯合させた複数のスプロケット１３とから成り、その内一つのスプロケット１３は無端チェーン１２の内側に設けて固定側のボール８の回転軸８ａに取り付けており、もう一つのスプロケット１３が無端チェーン１２の外側に設けて摺動側のボール８の回転軸８ａに取り付けているもので、モーター９が駆動し駆動用スプロケット１１が回転すると無端チェーン１２により夫々のスプロケット１３が回転して、一対のボール８は相対して回転するもので、スプロケット１３を移動させることで一対のボール８の間隙も調整可能なものである。
【００１９】
更には、スイッチ機構１０は、駆動源であるモーター９と配線により電気的に接続させているものである。
【００２０】
そして、スイッチ機構１０は、図３に図示する如く、遊動板５と固定板３との間に設けるもので、実施例では固定板３の上面にスイッチ１０ｂを押圧するための押圧杆１０ａを突設し、遊動板５の下面の押圧杆１０ａの両側に接触離間することにより駆動源であるモーター９の電力をオンオフする一対のスイッチ１０ｂを設けているものである。
【００２１】
つまり、本考案のケーブルの延線装置は、トラック等で工事現場に搬送されたケーブルドラムＢを回転自在に載置し、人間ＤによってケーブルＡの先端辺を把持して延線コロＣの上面に載置すると共に、延線装置１の一対のボール８の間に直線状に挟着させるものである。
【００２２】
次に、ケーブルＡを人間Ｄによって牽引するとケーブルＡは緊張して中立位置保持具７の弾性に抗して遊動板５は枢動軸６を中心として枢動して、固定板３と遊動板５との間に設けたスイッチ機構１０の押圧杆１０ａとケーブルＡの牽引方向のスイッチ１０ｂが接触して駆動用のモーター９が駆動するものである。
【００２３】
次いで、モーター９と減速機を介して機械的に接続された一対のボール８の回転軸８ａのスプロケット１３は無端チェーン１２の内側と外側に配したことにより相対的に回転するものであり、回転軸８ａの回転によりボール８が回転して、一対のボール８の間に挟着したケーブルＡが延線されるものである。
【００２４】
更に、先端に配置した延線装置１が駆動することにより、複数配置した延線装置１は緊張した状態と成り、配置された全部の延線装置１が次々と駆動するものである。
【００２５】
そして、ケーブルＡの牽引を止めてケーブルＡを緩めた場合、中立位置保持具７の弾性により、遊動板５は枢動軸６を中心として枢動して中立位置に戻り、押圧杆１０ａとスイッチ１０ｂが離間してモーター９の駆動が停止するもである。
【産業上の利用可能性】
【００２６】
本考案のケーブルの延線装置は、その都度変わるケーブル布設の工事現場において、容易に設置できると共に、他の設備や工事を必要とせず、電源も近傍に配設されている商業電源から容易に得られると共に、複雑な制御を必要とせず、ケーブルに張力を与えるだけで駆動する延線装置を提供するものである。
【図面の簡単な説明】
【００２７】
【図１】図１は本考案のケーブルの延線装置の実施例の使用状態の概要側面説明図である。
【図２】図２は本考案のケーブルの延線装置の実施例の使用状態の概要平面説明図である。
【図３】図３は本考案のケーブルの延線装置の実施例の（Ａ）は平面図（Ｂ）は側面図である。
【図４】図４は本考案のケーブルの延線装置の実施例の側面図である。
【図５】図５は本考案のケーブルの延線装置の実施例のボールの回転を説明する（Ａ）は近接状態（Ｂ）は離間状態の概要説明図である。
【符号の説明】
【００２８】
Ａ      ケーブル
Ｂ      ケーブルドラム
Ｃ      延線コロ
Ｄ      人間
１      延線装置
２      取付架台
３      固定板
４      ベアリング
５      遊動板
６      枢動軸
７      中立位置保持具
８      ボール
８ａ    回転軸
９      モーター
１０    スイッチ機構
１０ａ  押圧杆
１０ｂ  スイッチ
１１    駆動用スプロケット
１２    無端チェーン
１３    スプロケット
【図１】
0003124353.tif 000003
【図２】
0003124353.tif 000004
【図３】
0003124353.tif 000005
【図４】
0003124353.tif 000006
【図５】
0003124353.tif 000007